(57)【特許請求の範囲】
【請求項１】
硬貨を導入する第１の開口部と、前記硬貨を放出する第２の開口部とを有し、前記硬貨を前記第１の開口部から前記第２の開口部へ移送するシュート部であって、前記第２の開口部から放出される前記硬貨を貯留する受皿の形成された筐体とは別体のシュート部と；
前記シュート部を載置する台座と；
前記シュート部を前記台座の所定の位置に位置決めするシュートガイド部と； 
前記シュート部を所定の方向に付勢し、前記シュートガイド部とともに、該シュート部を着脱可能に固定するレバー部とを備え； 
前記シュートガイド部は、前記台座に立設される第１のガイド壁と、前記第１のガイド壁に対向して前記台座に立設される第２のガイド壁とを有し、
前記シュート部は、前記第１のガイド壁に対向して形成される第１の側壁と、当該第１の側壁に立設される第１の突起部を有し、
前記レバー部は、前記第１のガイド壁に配設され、前記第１の側壁に当接して前記シュート部を前記第２のガイド壁の方向に付勢するロックレバーを有し、
前記ロックレバーは、前記シュート部が前記シュートガイド部により位置決めされた際に、前記第１の突起部に当接する、
硬貨シュート組立体。
【請求項２】
前記シュート部は、前記第１の側壁に立設される第２の突起部を有し、
前記第２の突起部は、前記第１のガイド壁に形成される切り欠きと嵌合することで、前記第１の側壁に略平行な方向への前記シュート部の移動を規制する、
請求項１に記載の硬貨シュート組立体。
【請求項３】
前記シュート部は、前記第１の側壁に立設される第３の突起部を有し、
前記第３の突起部は、前記第１のガイド壁と当接することで、前記第１の側壁に交差する方向への前記シュート部の移動を規制する、
請求項１又は請求項２に記載の硬貨シュート組立体。
【請求項４】
請求項１乃至請求項３のいずれか１項に記載の硬貨シュート組立体と；
前記筐体内部に収納され、前記第１の開口部に硬貨を導入する硬貨処理装置とを備え；
前記受皿は、前記筐体と一体に形成される、
取引装置。
【発明の詳細な説明】
【技術分野】
【０００１】
本発明は、硬貨シュート組立体及び取引装置に関し、特に保守・点検を容易に行うことのできる硬貨シュート組立体及び取引装置に関する。
【背景技術】
【０００２】
従来から取引装置、例えば自動券売機には、硬貨処理装置が内蔵され、硬貨処理装置から放出された釣銭は硬貨シュートを通り、さらに硬貨放出口を通って硬貨受け皿に送られ利用者に返還されるものがある。このような自動券売機に対し、硬貨シュートや硬貨放出口の、利用者から見えにくい箇所に噛み終わったガムなどの粘着物を張り付ける悪戯が横行している。これは、釣銭の放出を阻害し、あわよくば釣銭を、粘着物に残留させ、残留した釣銭を盗むためである。そこで、透明な硬貨放出口カバーを設け、隔壁または硬貨シュートの利用者から見えない所にガム等を張り付けることを抑止し、またカバーにガム等を張り付けても透明であるので、利用者はこれを視認する対策がとられた（例えば、特許文献１参照。）。
【特許文献１】特開２００１−１９５６２６号公報  （第２−３頁、第３図）
【発明の開示】
【発明が解決しようとする課題】
【０００３】
しかしながら、このような取引装置では、例えば、以上のような対策を行なっても依然として、粘着物を貼り付ける悪戯がおこなれており、硬貨シュート内の清掃を実施する場合、清掃作業性が悪く、特にいたずらで故意に貼り付けられたガム、飴等の粘着物の完全除去は難しかった。
【０００４】
そこで、本発明は、保守・点検を容易に行うことのできる硬貨シュート組立体及び取引装置を提供することを目的する。
【課題を解決するための手段】
【０００５】
上記目的を達成するために、第一の態様の硬貨シュート組立体は、例えば図３又は図５に示すように、硬貨を導入する第１の開口部１１１と、硬貨を放出する第２の開口部１１２とを有し、硬貨を第１の開口部１１１から第２の開口部１１２へ移送するシュート部であって、第２の開口部１１２から放出される硬貨を貯留する受皿１７の形成された筐体２０とは別体のシュート部１１０と；シュート部１１０を載置する台座１５０と；シュート部１１０を台座１５０の所定の位置に位置決めするシュートガイド部１３０とを備えるように構成される。
【０００６】
このように構成すると、硬貨を移送するシュート部は、受皿の形成された筐体とは別体に構成され、シュートガイド部により台座の所定の位置に位置決めされるので、簡単に着脱することができ、保守・点検を容易に行うことのできる硬貨シュート組立体を提供することができる。
【０００７】
また第二の態様のように、第一の態様の硬貨シュート組立体では、例えば図３又は図５に示すように、シュート部１１０を所定の方向に付勢し、シュートガイド部１３０とともに、該シュート部１１０を着脱可能に固定するレバー部１３５を備えるように構成してもよい。
【０００８】
このように構成すると、シュート部は、シュートガイド部１３０とレバー部１３５とによって、所定の方向に付勢されながら着脱可能に固定されるので、例えば、シュート部に外部から力が加えられた場合でも、すぐには取り外すことができない。
【０００９】
また第三の態様のように、第二の態様の硬貨シュート組立体では、例えば図３又は図５に示すように、シュートガイド部１３０は、台座１５０に立設される第１のガイド壁１３１と、第１のガイド壁１３１に対向して台座１５０に立設される第２のガイド壁１３２とを有し、シュート部１１０は、第１のガイド壁１３１に対向して形成される第１の側壁１１３と、当該第１の側壁１１３に立設される第１の突起部１１８を有し、レバー部１３５は、第１のガイド壁１３１に配設され、第１の側壁１１３に当接してシュート部１１０を第２のガイド壁１３２の方向に付勢するロックレバー１３５ａを有し、ロックレバー１３５ａは、シュート部１１０がシュートガイド部１３０により位置決めされた際に、前記第１の突起部に当接するように構成してもよい。
【００１０】
このように構成すると、シュート部は、ロックレバーにより、第２のガイド壁の方向に付勢されるので、シュート部の第２のガイド壁の方向（例えば、図５に示すｘ方向）に対するガタつきを防止することができる。さらに、ロックレバーは、第１の側壁に立設される第１の突起部に当接して動きを規制するので、シュート部の当該台座方向（例えば、図５に示すｙ方向）に対するガタつきを防止することができる。
【００１１】
また第四の態様のように、第三の態様の硬貨シュート組立体では、例えば図３又は図５に示すように、シュート部１１０は、第１の側壁１１３に立設される第２の突起部１１９を有し、第２の突起部１１９は、第１のガイド壁１３１に形成される切り欠き１３１ｂと嵌合することで、第１の側壁１１３に略平行な方向（例えば、図５に示すｚ方向）へのシュート部の移動を規制するように構成してもよい。
【００１２】
このように構成すると、シュート部は、第１の側壁に立設される第２の突起部が第１のガイド壁に形成される切り欠きと嵌合することで、シュート部の第１の側壁に略平行な方向（例えば、図５に示すｚ方向）に対するガタつきを防止することができる。
【００１３】
また第五の態様のように、第三の態様又は第四の態様の硬貨シュート組立体では、例えば図３又は図５に示すように、シュート部１１０は、第１の側壁１１３に立設される第３の突起部１２０を有し、第３の突起部１２０は、第１のガイド壁１３１と当接することで、第１の側壁１１３に交差する方向（例えば、図５に示すｘ方向）へのシュート部の移動を規制するように構成してもよい。
【００１４】
このように構成すると、シュート部は、例えば、第１の側壁と第１のガイド壁との間に隙間がある場合でも、第１の側壁に立設される第３の突起部が第１のガイド壁に当接することで、シュート部の第１の側壁に交差する方向（例えば、図５に示すｘ方向）に対するガタつきを防止することができる。
【００１５】
上記目的を達成するために、第六の態様の取引装置は、例えば図１に示すように、第一の態様乃至第五の態様のいずれか一の態様の硬貨シュート組立体１００と；筐体２０内部に収納され、第１の開口部１１１に硬貨を導入する硬貨処理装置３１とを備え；受皿１７は、筐体２０と一体に形成されるように構成される。
【００１６】
このように構成すると、シュート部は、硬貨処理装置によって第１の開口部に導入される硬貨を、第２の開口部を介して筐体と一体に形成される受皿に移送するので、例えば、受皿側からシュート部に悪戯された場合でも、シュート部を簡単に着脱することができ、保守・点検を容易に行うことのできる取引装置を提供することができる。
【発明の効果】
【００１７】
以上のように本発明によれば、硬貨を導入する第１の開口部と、硬貨を放出する第２の開口部とを有し、硬貨を第１の開口部から第２の開口部へ移送するシュート部であって、第２の開口部から放出される硬貨を貯留する受皿の形成された筐体とは別体のシュート部と、シュート部を載置する台座と、シュート部を台座の所定の位置に位置決めするシュートガイド部とを備えるように構成されるので、保守・点検を容易に行うことのできる硬貨シュート組立体を提供することができる。
【発明を実施するための最良の形態】
【００１８】
以下、本発明の実施の形態について、図面を参照して説明する。なお、各図において互いに同一あるいは相当する部材には同一符号を付し、重複した説明は省略する。
【００１９】
図１は、本発明の実施の形態に係る取引装置としての自動券売機１の外観図であり、（ａ）は正面図（後述する接客部１０側の図）、（ｂ）は背面図である。自動券売機１は、利用者の操作を受け付ける接客部１０と、内部が空洞で略直方体状に形成され、外側の面に接客部１０が形成された筐体２０と、筐体２０内部に収納され、貨幣としての硬貨、紙幣、カード状の媒体等を処理する貨幣処理装置３０とを備える。貨幣処理装置３０は、硬貨を受け付けて処理する硬貨処理装置３１と、紙幣を受け付けて処理する紙幣処理装置３２と、カード状の媒体を受け付けて処理するカード処理装置３３を含んで構成される。
【００２０】
ここで、硬貨は、１円硬貨、５円硬貨、１０円硬貨、５０円硬貨、１００円硬貨、５００円硬貨、メダル、トークン等を広く含む概念である。なおここでいうトークンとは、いわゆる代用硬貨であり、例えば樹脂製の外壁で内部にＩＣチップが埋め込まれているものも含む。本実施の形態では、硬貨は１０円硬貨、５０円硬貨、１００円硬貨、５００円硬貨の場合で説明する。なお、これらを特に区別しない場合には単に「硬貨」という。また、紙幣は、千円札、二千円札、五千円札、一万円札、識別の必要な紙葉類、例えば有価証券等を広く含む概念である。本実施の形態では、紙幣は、千円札、二千円札、五千円札、一万円札の場合で説明する。なお、これらを特に区別しない場合には単に「紙幣」という。カード状の媒体は、例えば、メダルや硬貨等の略円形状の媒体とは異なる略四角形状の媒体であり、典型的には、略長方形板状の媒体である。本実施の形態では、カード状の媒体は、乗車券や回数券等のエドモンソン券、大型券、定期券やプリペードカード等のＰＥＴ券、ＩＣカードの場合で説明する。なお、これらを特に区別しない場合には単に「カード」という。
【００２１】
自動券売機１は、さらに、係員の操作を受け付ける係員操作部４０、乗車券を発行する発券装置５０、自動券売機１の各部を制御する制御部６０を備える。また、自動券売機１は、シュート部としての硬貨シュート１１０と、硬貨シュート１１０を載置する台座１５０と、シュートガイド部としてのシュートガイド機構１３０を含んで構成される硬貨シュート組立体１００を筐体２０の内部に備える。
以下、上記各構成について詳細に説明する。
【００２２】
接客部１０は、筐体２０のいずれか１つの面に形成されている。例えば、利用者は、接客部１０に対向して取り引き、すなわち乗車券等の購入を行う。接客部１０は、次に説明する表示操作部１１、硬貨投入口１２、紙幣投入放出口１３、カード投入放出口１４、硬貨放出口１５、発券口１６、硬貨を貯留する受皿としての硬貨受皿１７を含んで構成される。
【００２３】
硬貨投入口１２は、硬貨を投入するためのものであり、硬貨処理装置３１の投入部（不図示）に連通されている。硬貨投入口１２から投入された硬貨は、投入部（不図示）を介して硬貨処理装置３１内部に取り込まれる。硬貨処理装置３１は、硬貨投入口１２から投入された硬貨を識別、計数した後に内部に収納する。
【００２４】
紙幣投入放出口１３は、紙幣を紙幣処理装置３２に導入するとともに紙幣処理装置３２によって処理される紙幣を放出するためのものであり、紙幣処理装置３２に連通されている。紙幣処理装置３２は、紙幣投入放出口１３から挿入された紙幣を識別、計数した後に内部に収納する。
【００２５】
カード投入放出口１４は、カードをカード処理装置３３に挿入するとともにカード処理装置３３によって処理されるカードを放出するためのものであり、カード処理装置３３に連通されている。カード処理装置３３は、カード投入放出口１４から挿入されたカードを識別、残額検出した後に、内部に保留する。
【００２６】
硬貨放出口１５は、硬貨処理装置３１から放出される釣銭を筐体２０内部から筐体２０外部の硬貨受皿１７に放出するものであり、硬貨処理装置３１の出金部（不図示）に、硬貨シュート１１０を介して連通されている。硬貨受皿１７は、硬貨放出口１５を介して放出される釣銭等を一時的に貯留する。
【００２７】
発券口１６は、発券装置５０により発券される乗車券等を放出するものであり、発券装置５０に連通されている。
【００２８】
表示操作部１１は、利用客による種々の選択、操作を受け付け、さらに、利用者に対して、例えば発売中、発売中止などの情報を提供するものである。表示操作部１１は、液晶画面などとタッチパネルが組み合わされた表示操作装置１１ａ、ＬＥＤ押しボタン１１ｂを含んで構成される。
【００２９】
表示操作装置１１ａは、前面（図１（ａ）手前側）にタッチパネル、その背面（図１（ａ）奥側）に液晶画面を備え、接客部１０の前面中央部に配置されている。液晶画面は、例えば、利用者が購入する乗車券の券種を選択するための口座を乗車料金ごとに区分した画像や、投入された硬貨、紙幣の累計金額、カードの残額、釣銭金額等を表示する。タッチパネルは、液晶画面に表示される口座等を選択するための情報選択手段であり、例えば、抵抗膜方式、赤外線式、静電容量式などが用いられ、表面に触れることで信号を入力する装置である。ＬＥＤ押しボタン１１ｂは、複数のボタンにより構成されており、各ボタンを押下することで係員の呼び出しや、取り消し等の操作を受け付ける。
【００３０】
係員操作部４０は、筐体２０の表示操作部１１が形成されている面の反対側の面に形成されており、表示操作部１１とほぼ同様に、液晶画面などとタッチパネルが組み合わされた表示操作装置４０ａ、押しボタン４０ｂを含んで構成され、係員による種々の処理の入力を受け付ける。
【００３１】
硬貨処理装置３１の制御装置（不図示）、紙幣処理装置３２の制御装置（不図示）、カード処理装置３３の制御装置（不図示）は制御部６０に接続され、硬貨、紙幣、カードが投入あるいは挿入されると、投入あるいは挿入された硬貨、紙幣、カードのデータを制御部６０に送信する。さらに、制御部６０には、表示操作部１１、係員操作部４０が接続され、利用客による口座選択に関する入力に応じて口座を確定したり、係員の種々の操作に応じて種々の制御を行う。
【００３２】
また、制御部６０には発券装置５０の制御装置（不図示）が接続されており、発券装置５０は、制御部６０の指令に基づき、口座に対応する乗車券を印刷し、発券口１６から乗車券を発券する。取引の内容に応じて釣銭があるときは、硬貨処理装置３１、紙幣処理装置３２は、制御部６０の指令に基づき、釣銭を硬貨放出口１５、紙幣投入放出口１３から放出する。カードが使用された場合には、カード処理装置３３は、制御部６０の指令に基づき、カードをカード投入放出口１４に戻し、カード投入放出口１４から所定の長さだけ突き出て、利用者に返却される。
【００３３】
図２は、本発明の実施の形態に係る自動券売機１の接客部１０の外観斜視図である。接客部１０は、利用者が対向したときに操作がし易いように、鉛直方向に対して若干傾きを有して形成されている。表示操作部１１は、接客部１０のおよそ中央の利用者が目視しやすい位置に配設される。硬貨投入口１２は、表示操作部１１の下方右側（図２において接客部１０に対面した際の下方右側、以下同様。）に配設される。紙幣投入放出口１３は、表示操作部１１の下方であって、硬貨投入口１２の左側に配設される。カード投入放出口１４は、表示操作部１１の下方左側に配設される。すなわち、硬貨投入口１２、紙幣投入放出口１３、カード投入放出口１４は、表示操作部１１の下方に、向かって右側から硬貨投入口１２、紙幣投入放出口１３、カード投入放出口１４の順でほぼ水平に並ぶように配設されている。
【００３４】
さらに、発券口１６はカード投入放出口１４の下方に配設され、硬貨受皿１７は紙幣投入放出口１３の下方に配設されている。硬貨受皿１７は、くぼみ状に形成されており、当該硬貨受皿１７の右側の隔壁１０ａに硬貨放出口１５が形成されている。硬貨受皿１７の右側の隔壁１０ａを境界として硬貨受皿１７が配設されている側（以下特に断りのない限り「装置外側」という。）とは反対側（以下特に断りのない限り「装置内側」という。）に、後述する硬貨シュート組立体１００（図１参照）が配設されている。すなわち、硬貨シュート組立体１００は、筐体２０の内部に配設される。ここで、接客部１０では装置外側と装置内側とは前述の隔壁１０ａによって間仕切られている。硬貨受皿１７は、硬貨放出口１５側からその反対側に向かって、水平方向に対して３０°程度の傾斜を有する部分を備えている。さらに、硬貨受皿１７には、該傾斜する部分を略平行に覆うシュートカバー１５ａが配設されている。硬貨シュート１１０（図１参照）から放出される硬貨は、該傾斜する部分とシュートカバー１５ａとによって、略筒状に画成された空間を介して硬貨受皿１７に放出される。なお、シュートカバー１５ａは、透明部材で成形されている。また、本実施の形態では、シュートカバー１５ａは後述する第２のガイド壁１３２（図４参照）と一体に形成される。詳細については図４で説明する。
【００３５】
なお、硬貨受皿１７を含んで構成される接客部１０と筐体２０とは一体に形成されている。さらに、硬貨受皿１７と接客部１０とは一体に形成されている。すなわち、硬貨受皿１７は、筐体２０と一体に形成されている。ここで、一体に形成するとは、同一部材で作られている場合だけでなく、例えば、ビス等により固定的に取り付けられている場合を含む。言い換えれば、接客部１０は、筐体２０に固定的に取り付けられることで筐体２０の一面を形成している。
【００３６】
自動券売機１は、上述したように、硬貨シュート組立体１００（図１参照）を備える。さらに、硬貨シュート組立体１００は、硬貨処理装置３１（図１参照）から放出される硬貨を硬貨受皿１７に導くシュート部としての硬貨シュート１１０（図１参照）と、硬貨シュート１１０を載置する台座１５０（図１参照）と、硬貨シュート１１０を前記台座の所定の位置に位置決めするシュートガイド部としてのシュートガイド機構１３０（図１参照）とを備える。
以下ではまず、図３を参照して硬貨シュート１１０の構成を説明する。
【００３７】
図３は、本発明の実施の形態に係る自動券売機１の硬貨シュート１１０の構成を示す図である。図３（ａ）は正面図、図３（ｂ）は左側面図、図３（ｃ）は右側面図、図３（ｄ）は底面図、図３（ｅ）は背面図である。なおここで、正面とは、硬貨シュート１１０を自動券売機１の筐体２０内部に設置した際に、利用者が対面する側の面である。
【００３８】
硬貨シュート１１０は、硬貨を導入する第１の開口部としての導入口１１１と、硬貨を放出する第２の開口部としての放出口１１２とを有し、硬貨を導入口１１１から放出口１１２へ移送するシュート部であって、放出口１１２から放出される硬貨を貯留する硬貨受皿１７の形成された筐体２０とは別体に構成されるものである。ここでは、硬貨シュート１１０は、硬貨を落下させて移送する。
【００３９】
ここで、硬貨シュート１１０が筐体２０とは別体に構成されるという場合、物理的に分離した構成であり、単に別部材で構成されているだけでなく例えば、筐体２０にビス等により固定的に取り付けられておらず、ドライバーやレンチ等を持ち出すことなく人間の手だけで容易に着脱可能な構成であることをいう。本実施の形態では、硬貨シュート１１０は、後述するシュートガイド機構１３０（図４参照）により台座１５０（図４参照）に着脱可能に取り付けられる。
【００４０】
硬貨シュート１１０は、硬貨シュート１１０が後述するシュートガイド機構１３０（図４参照）に設置された際に、第１のガイド壁１３１（図４で後述する）に対向して形成される第１の側壁１１３と、第１の側壁１１３に略直交するように形成され、前記導入口１１１が形成されている第２の側壁１１４と、第１の側壁１１３に略直交するように形成され、第２の側壁１１４と対向するように形成される第３の側壁１１５とを備える。放出口１１２は、第２の側壁１１４と第３の側壁１１５とにより形成される開口である。硬貨シュート１１０は、導入口１１１が硬貨処理装置３１（図１参照）の出金部（不図示）と対向し、放出口１１２が上述した硬貨放出口１５（図２参照）に対向するように筐体２０内部に配設される。
【００４１】
硬貨シュート１１０は、放出口１１２に、硬貨シュート１１０が後述するシュートガイド機構１３０（図４参照）に設置された際に、水平方向に対して３０程度の傾斜を有するように、略樋状に形成された底壁１１６を備える。言い換えれば、底壁１１６は、第２の側壁１１４と第３の側壁１１５との間に挟み込まれるように形成されており、その一端が放出口１１２から露出するように形成されている。導入口１１１から導入された硬貨は、底壁１１６に落下し、方向を変えながら滑り落ちて放出口１１２から放出される。また、硬貨シュート１１０は、底壁１１６の下方に底板１１７を備えている。底板１１７は、硬貨シュート１１０が後述するシュートガイド機構１３０（図４参照）に設置された際に、水平となるように形成されている。また、底板１１７は、第１の側壁１１３、第２の側壁１１４、第３の側壁１１５に対して、略垂直となるように形成される。これにより硬貨シュート１１０を安定した姿勢で設置することができる。なお、ここで水平方向は、硬貨シュート１１０を載置する台座１５０（図４で後述する）と略平行な方向である。
【００４２】
硬貨シュート１１０は、第１の側壁１１３に立設される第１の突起部としての第１のロックプレート１１８を有する。第１のロックプレート１１８は、略矩形のプレート状に形成される。第１のロックプレート１１８は、硬貨シュート１１０が後述するシュートガイド機構１３０（図４参照）に設置された際に略水平方向に伏せた状態となるように、第１の側壁１１３の下部（底板１１７側）に形成される。
【００４３】
さらに、硬貨シュート１１０は、第１の側壁１１３に立設される第２の突起部としての第２のロックプレート１１９を有する。第２のロックプレート１１９は、略矩形のプレート状に形成される。第２のロックプレート１１９は、硬貨シュート１１０が後述するシュートガイド機構１３０（図４参照）に設置された際に略鉛直方向に立った状態となるように、第１の側壁１１３の上部（底板１１７とは反対側）に形成される。
【００４４】
さらに、硬貨シュート１１０は、第１の側壁１１３に立設される第３の突起部としてのストッパプレート１２０を有する。ストッパプレート１２０は、略矩形のプレート状に形成される。ストッパプレート１２０は、硬貨シュート１１０が後述するシュートガイド機構１３０（図４参照）に設置された際に略鉛直方向に立った状態となるように、第２のロックプレート１１９の下側（底板１１７側）に形成される。ストッパプレート１２０は、第１の側壁１１３から突出する長さが第２のロックプレート１１９よりも短く、本実施の形態では、第２のロックプレート１１９と一体に形成される。ここでは、第２のロックプレート１１９とストッパプレート１２０とは、全体として略Ｌ字型に形成されている。また、硬貨シュート１１０は、複数の短冊状に形成された突起を有する凹凸部１２１を備えている。凹凸部１２１は、第２の側壁１１４から突出するように形成されている。
【００４５】
図４は、本発明の実施の形態に係る自動券売機１のシュートガイド機構１３０の構成を示す図である。図４（ａ）はシュートガイド機構１３０の平面図、図４（ｂ）はシュートガイド機構１３０の正面図、図４（ｃ）はシュートガイド機構１３０の右側面図、図４（ｄ）はロックレバー１３５ａの部分正面図である。なおここでは、以下での説明を容易にするため、接客部１０の一部、筐体２０の一部の図示は省略している。また、本図では、幅方向（接客部１０に向かって左右方向）をｘ方向、高さ方向（鉛直方向）をｙ方向、奥行き方向（接客部１０に向かって前後方向）をｚ方向として説明する。
【００４６】
台座１５０は、筐体２０に一体に形成されている。ここで、一体に形成するとは、上述したように、同一部材で作られている場合だけでなく、例えば、ビス等により固定的に取り付けられている場合を含む。本実施の形態では、筐体２０とビスによる一体化を採用し、台座１５０は、ｘ方向−ｚ方向平面に略平行に、ここでは略水平に配置されるものである。さらに、硬貨受皿１７が台座１５０に載置される状態で固定的に一体に取り付けられている。本実施の形態では、硬貨受皿１７の縁部にはタブ（不図示）が形成されており、硬貨受皿１７は、硬貨の貯留部分が台座１５０に形成される孔に嵌合し、前記タブが当該孔の縁部に引っ掛かるようにして、台座１５０に載置されビス留めされている。
【００４７】
シュートガイド機構１３０は、台座１５０に立設される第１のガイド壁１３１と、第１のガイド壁１３１に対向して台座１５０に立設される第２のガイド壁１３２とを備える。さらに、シュートガイド機構１３０は、第１のガイド壁１３１と交差する方向に台座１５０に立設される第３のガイド壁１３３と、第３のガイド壁１３３に対向して台座１５０に立設され、取付位置の調整が可能な第４のガイド壁１３４とを備える。
【００４８】
第１のガイド壁１３１と、第２のガイド壁１３２は、ｘ方向に対向するように配設されている。第２のガイド壁１３２は、隔壁１０ａに沿うように硬貨受皿１７側に配設されている。第１のガイド壁１３１は、第２のガイド壁１３２に対してｘ方向に間隔Ｆ２をあけて配設されている。
【００４９】
第２のガイド壁１３２は、透明部材で形成されており、本実施の形態では、上述したシュートカバー１５ａと一体に形成されている。さらに、第２のガイド壁１３２には、硬貨受皿１７の傾斜する部分とシュートカバー１５ａとによって略筒状に画成された空間と、第２のガイド壁１３２を境界として第１のガイド壁１３１側の空間とが連続するように穿孔が形成されている。当該穿孔は、硬貨シュート１１０（図３参照）がシュートガイド機構１３０に設置された際に、硬貨シュート１１０の底壁１１６（図３参照）の一端が位置する部分に形成されている。シュートカバー１５ａと第２のガイド壁１３２とを一体に透明部材で形成することで、例えば、本来であれば利用者から見えないシュートカバー１５ａの部分にガム等が張り付けることを抑止し、硬貨受皿１７側からの悪戯を防止することができる。また、シュートカバー１５ａにガム等が張り付けられた場合でも、利用者はこれを視認することができる。
【００５０】
第１のガイド壁１３１は、ｙ方向のおよそ中央部に、ｚ方向に突出した略矩形状の凸部１３１ａが形成されている。さらに、第１のガイド壁１３１は、凸部１３１ａの付け根部分に、硬貨シュート１１０（図３参照）がシュートガイド機構１３０に設置された際に、上述した第２のロックプレート１１９が嵌合する切り欠き１３１ｂが形成されている。切り欠き１３１ｂは、ｙ軸方向（略鉛直方向）に略平行に形成されている。
【００５１】
さらに、第１のガイド壁１３１には、硬貨シュート１１０（図３参照）を所定の方向に付勢し、シュートガイド機構１３０とともに、硬貨シュート１１０を着脱可能に固定するレバー部としてのレバー機構１３５が配設されている。ここで、硬貨シュート１１０（図３参照）を付勢する所定の方向とは、第２のガイド壁１３２の方向であり、レバー機構１３５は、第２のガイド壁１３２とともに、硬貨シュート１１０を挟み込むことで硬貨シュート１１０を着脱可能に固定する。
【００５２】
具体的には、レバー機構１３５は、第１のガイド壁１３１に配設され、硬貨シュート１１０（図３参照）の第１の側壁１１３（図３参照）に当接して硬貨シュート１１０を第２のガイド壁１３２の方向に付勢するロックレバー１３５ａと、ロックレバー１３５ａを付勢するスプリング蝶番１３５ｂとを備えている。ロックレバー１３５ａは、スプリング蝶番１３５ｂを介して第１のガイド壁１３１の凸部１３１ａの下端（台座１５０側の端部）に取り付けられている。ロックレバー１３５ａは、スプリング蝶番１３５ｂにより、硬貨シュート１１０を第２のガイド壁１３２へ押さえ込む方向、図４（ｂ）中の矢印Ａに示す方向に付勢される。なお、図５で後述するように、ロックレバー１３５ａを図４（ｂ）中の矢印Ｂに示す方向に引っ張ることで、硬貨シュート１１０をシュートガイド機構１３０から取り外すことができる。
【００５３】
ロックレバー１３５ａは、板金等を曲げ加工することにより形成されている。ロックレバー１３５ａは、図４（ｄ）に示すように、２つの突出した部分として、上部突起１３５ｃ、下部突起１３５ｄが形成されている。上部突起１３５ｃは、ロックレバー１３５ａのスプリング蝶番１３５ｂ側に、下部突起１３５ｄは、ロックレバー１３５ａのスプリング蝶番１３５ｂとは反対側に形成されており、ともに、ｘ方向断面の形状が、第２のガイド壁１３２側に突出した略くの字型になるように形成されている。
【００５４】
なお、第１のガイド壁１３１と第２のガイド壁１３２とのｘ方向の間隔Ｆ２は、硬貨シュート１１０（図３参照）の脱着性を良好にする為、硬貨シュート１１０のｘ方向寸法Ｆ１（図３（ａ）参照）より０．１ｍｍから０．３ｍｍ程度、ここでは、０．１程度大きい構造としている。また、この場合、硬貨シュート１１０上部のｘ方向に対するガタが発生する可能性があるが、図５で後述するように、ストッパプレート１２０（図３参照）によりこのガタをなくすことができる。
【００５５】
第３のガイド壁１３３と、第４のガイド壁１３４は、ｚ方向に対向するように配設されている。第３のガイド壁１３３は、隔壁１０ａに沿うように隔壁１０ａ側（接客部１０に向かって手前側）に配設されている。第４のガイド壁１３４は、第３のガイド壁１３３に対してｚ方向に間隔Ｆ３をあけて配設されている。第４のガイド壁１３４は、ｚ方向断面の形状が、略くの字型でくの字の頂点部分が略鉛直面となるように形成されている。台座１５０には、第４のガイド壁１３４を取り付けるためのネジ穴（不図示）がｚ方向に沿って複数形成されている。これにより、第４のガイド壁１３４の取付位置は、硬貨シュート１１０のｚ方向寸法Ｆ４（図３（ｃ）参照）に応じて適宜調整することができる。なお、ここでは、第３のガイド壁１３３と第４のガイド壁１３４とのｚ方向の間隔Ｆ３は、硬貨シュート１１０のｚ方向寸法Ｆ４とほぼ等しくすればよい。第３のガイド壁１３３と、第４のガイド壁１３４とは、硬貨シュート１１０の下部を挟み込んでいるだけなので、硬貨シュート１１０の脱着性には影響がないからである。
【００５６】
図５は、本発明の実施の形態に係る自動券売機１の硬貨シュート１１０をシュートガイド機構１３０に装着した際の硬貨シュート組立体１００を示す図である。図５（ａ）は硬貨シュート組立体１００の平面図、図４（ｂ）は硬貨シュート組立体１００の正面図、図４（ｃ）は硬貨シュート組立体１００の右側面図である。なお、本図でも図４と同様に、接客部１０の一部、筐体２０の一部の図示は省略し、幅方向をｘ方向、高さ方向をｙ方向、奥行き方向をｚ方向として説明する。
【００５７】
硬貨シュート１１０は、第１のガイド壁１３１、第２のガイド壁１３２、第３のガイド壁１３３、第４のガイド壁１３４に囲われた空間にはまり込むようにして、シュートガイド機構１３０に装着される。
【００５８】
このとき、硬貨シュート１１０の第１の側壁１１３に形成された第２のロックプレート１１９は、シュートガイド機構１３０の第１のガイド壁１３１に形成された切り欠き１３１ｂに嵌合する。第２のロックプレート１１９は、第１のガイド壁１３１に形成される切り欠き１３１ｂと嵌合することで、第１の側壁１１３に略平行な方向、すなわちｚ方向への硬貨シュート１１０の移動を規制し、硬貨シュート１１０の上部がガタつくことを防止することができる。
【００５９】
硬貨シュート１１０をシュートガイド機構１３０に装着すると、第１のロックプレート１１８とロックレバー１３５ａとは、第１のロックプレート１１８がロックレバー１３５ａの下部突起１３５ｄの下側にかみ込んだような位置関係となる。硬貨シュート１１０がシュートガイド機構１３０により位置決めされた際には、第１のロックプレート１１８と下部突起１３５ｄとが当接する。
【００６０】
硬貨シュート１１０にｙ方向の力が加えられた場合でも、ロックレバー１３５ａを介してスプリング蝶番１３５ｂの付勢が第１のロックプレート１１８に作用するため、硬貨シュート１１０がｙ方向へ動くこと、言い換えれば、硬貨シュート１１０が持ち上げる方向へ動くことはない。また、硬貨シュート１１０を介してロックレバー１３５ａにｙ方向の力が伝わっても、レバー機構１３５の作用点、支点の位置関係により、ロックレバー１３５ａが解除方向、すなわち図４（ｂ）で示した矢印Ｂの方向へ動く事はない。
【００６１】
また、上述したように、第１のガイド壁１３１と第２のガイド壁１３２とのｘ方向の間隔Ｆ２は、硬貨シュート１１０のｘ方向寸法Ｆ１に対して若干のマージンを設けている。しかしながら、硬貨シュート１１０がシュートガイド機構１３０により位置決めされた際には、硬貨シュート１１０の第１の側壁１１３に形成されたストッパプレート１２０が、第１のガイド壁１３１と当接することで、第１の側壁１１３に交差する方向、すなわちｘ方向への硬貨シュート１１０の移動を規制し、硬貨シュート１１０の上部がガタつくことを防止することができる。また、ストッパプレート１２０は、第１の側壁１１３の上部に形成されていることから、硬貨シュート１１０を装着する過程において、最後にシュートガイド機構１３０に入り込むことになるため、硬貨シュート１１０の脱着性を阻害することはない。
【００６２】
ロックレバー１３５ａは、スプリング蝶番１３５ｂの付勢力により、上部突起１３５ｃが硬貨シュート１１０の第１の側壁１１３に当接して、該硬貨シュート１１０を第２のガイド壁１３２方向へ押し付ける。この構造により硬貨シュート１１０の下部のｘ方向へのガタつきを防止することができ、第２のガイド壁１３２と硬貨シュート１１０との隙間をほぼゼロにすることができる。
【００６３】
硬貨シュート１１０をシュートガイド機構１３０から取り外す場合には、ロックレバー１３５ａを、スプリング蝶番１３５ｂによる付勢力に反する方向、すなわち図４（ｂ）で示した矢印Ｂの方向へ移動させる。このロックレバー１３５ａの移動により、ロックレバー１３５ａの下部突起１３５ｄが当接していた硬貨シュート１１０の第１のロックプレート１１８との係合を解除することができる。ロックレバー１３５ａと第１のロックプレート１１８との係合を解除した状態で、さらに硬貨シュート１１０の凹凸部１２１をｙ方向に持ち上げる。これにより、下部突起１３５ｄの下側に位置している第１のロックプレート１１８を上方に逃げさせることができ、さらに硬貨シュートを持ち上げることで硬貨シュート１１０の取り外しが完了する。
【００６４】
以上で説明した本発明の実施の形態に係る硬貨シュート組立体１００及び自動券売機１によれば、硬貨シュート１１０は、シュートガイド機構１３０によって、硬貨受皿１７等が固定的に取り付けられている筐体２０、ここでは、筐体２０と一体の台座１５０とは、別体に取り付けられるので、保守・点検を容易に行うことのできる硬貨シュート組立体及び自動券売機を提供することができる。言い換えれば、硬貨シュート１１０は、ネジ等を用いて固定していないことから、道具を用いずに容易に筐体２０から着脱することができる。
【００６５】
さらに、硬貨シュート１１０を簡単に取り外すことができることから、第３者の悪意によりシュートカバー１５ａや硬貨シュート１１０に粘着物を貼り付ける悪戯がされた場合でも、粘着物除去等の困難な清掃作業を比較的容易に行うことができる。なお、従来の自動券売機等においては、装置から硬貨シュートを外す為にはねじを外す必要があり、調整作業を必要とするため、硬貨シュートを外す作業は、特定の保守員にしか許可しないことが一般的であるが、本発明の実施の形態に係る硬貨シュート組立体１００及び自動券売機１によれば特別な知識を有しない係員等でも容易に着脱、清掃することができる。
【００６６】
また、以上で説明した本発明の実施の形態に係る硬貨シュート組立体１００及び自動券売機１によれば、硬貨シュート１１０は、シュートガイド機構１３０により台座１５０の所定の位置に位置決めされるので、装着の際には、いつも同じ位置に正確に装着することができ、取り付けの微調整を省くことができる。
【００６７】
さらに、以上で説明した本発明の実施の形態に係る自動券売機１によれば、硬貨シュート１１０を付勢するレバー機構１３５を装置内側に設けているため、接客部１０側から硬貨シュート１１０に力を加えられても、ガタついたり、外れたりすることがない。また、付勢されたレバー機構１３５を操作することで、硬貨シュート１１０が容易に取り外せるので、工具を使用せず清掃を手元で行える。特に、自動販売機のように、硬貨を多く取り扱う装置には有用である。
【００６８】
なお、本発明の実施の形態に係る硬貨シュート組立体及び取引装置は、上述した実施の形態に限定されず、特許請求の範囲に記載された範囲で種々の変更が可能である。以上の説明では、取引装置は、乗車券等を取り扱う自動券売機として説明したが、自動販売機等の装置の内側から装置の外側に硬貨を放出するものであれば何でも良い。
【００６９】
以上の説明では、第１の突起部は、略矩形のプレート状に形成される第１のロックプレート１１８として説明したが、これに限らず、第１の側壁１１３から突状に立設され、ロックレバー１３５ａにより台座１５０の方向に押しつけられるものであれば、単なる突起、例えば円柱状の突起等であってもよい。同様に、第２の突起部は、略矩形のプレート状に形成される第２のロックプレート１１９として説明したが、これに限らず、第１の側壁１１３から突状に立設され、第１のガイド壁に形成される切り欠き１３１ｂと嵌合するものであれば、単なる突起、例えば円柱状の突起等であってもよい。この場合、第２の突起部の形状に合わせて切り欠き１３１ｂの形状を変更すればよい。さらには、第３の突起部は、略矩形のプレート状に形成されるストッパプレート１２０として説明したが、これに限らず、第１の側壁１１３から突状に立設され、第１のガイド壁１３１と当接するものであれば、単なる突起、例えば円柱状の突起等であってもよい。
【００７０】
さらに、以上の説明では、レバー機構は、シュートガイド機構の第１のガイド壁に設けられるものとして説明したが、硬貨シュートを所定の方向に付勢し、シュートガイド機構とともに、該硬貨シュートを着脱可能に固定すれば、硬貨シュートに設置されていてもよい。
【００７１】
以上の説明では、第１の突起部、第２の突起部、第３の突起部は、硬貨シュートの第１の側壁に形成されるものとして説明したが、他の側壁に形成してもよい。また、以上の説明では、例えば、第２の突起部は硬貨シュートの第１の側壁に形成され、第２の突起部が嵌合する切り欠きはシュートガイド機構の第１のガイド壁に形成されるものとして説明したが、第２の突起部を第１のガイド壁に形成し、切り欠きを第１の側壁に形成してもよい。また、シュートガイド機構は、４つのガイド壁を有するものとして説明したが、例えば、一枚であってもよい。
【図面の簡単な説明】
【００７２】
【図１】本発明の実施の形態に係る自動券売機の外観図である。
【図２】本発明の実施の形態に係る自動券売機の接客部の外観斜視図である。
【図３】本発明の実施の形態に係る自動券売機の硬貨シュートの構成を示す図である。
【図４】本発明の実施の形態に係る自動券売機のシュートガイド機構の構成を示す図である。
【図５】本発明の実施の形態に係る自動券売機の硬貨シュートをシュートガイド機構に装着した際の硬貨シュート組立体を示す図である。
【符号の説明】
【００７３】
１    自動券売機
１０    接客部
１２    硬貨投入口
１５    硬貨放出口
１５ａ    シュートカバー
１７    硬貨受皿
２０    筐体
３１    硬貨処理装置
１００    硬貨シュート組立体
１１０    硬貨シュート
１１１    導入口
１１２    放出口
１１３    第１の側壁
１１４    第２の側壁
１１５    第３の側壁
１１６    底壁
１１７    底板
１１８    第１のロックプレート
１１９    第２のロックプレート
１２０    ストッパプレート
１３０    シュートガイド機構
１３１    第１のガイド壁
１３２    第２のガイド壁
１３３    第３のガイド壁
１３４    第４のガイド壁
１３５    レバー機構
１３５ａ    ロックレバー
１３５ｂ    スプリング蝶番
１５０      台座
【図１】
0004786957.tif 000002
【図２】
0004786957.tif 000003
【図３】
0004786957.tif 000004
【図４】
0004786957.tif 000005
【図５】
0004786957.tif 000006